(57)【要約】【課題】入金機の運用コストを比較的安価にする。【解決手段】入金機が、入金を受ける入金受付部と、前記入金受付部が受けた入金を処理する入金処理部と、前記入金処理部が行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷部と、を備えることを特徴とする。【選択図】図４
2020035487.tif 000002
【特許請求の範囲】
【請求項１】
入金を受ける入金受付部と、
前記入金受付部が受けた入金を処理する入金処理部と、
前記入金処理部が行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷部と、
を備えることを特徴とする入金機。
【請求項２】
前記入金記録帳に印刷された前記印刷行マークを検出する基準マーク位置検出部と、
前記基準マーク位置検出部が検出した前記印刷行マークに基づいて前記入金記録帳の印刷済みの行を検出する印刷済行検出部と
前記印刷済みの行のうち最下行の次の行を前記入金記録の印刷開始位置に決定する印刷開始位置決定部と、
を備え、
前記入金記録印刷部は、前記印刷開始位置決定部が決定した印刷開始位置から前記入金記録と前記印刷行マークの印刷を開始する
ことを特徴とする請求項１に記載の入金機。
【請求項３】
入金機が、
入金を受ける入金受付ステップと、
前記入金受付ステップで受けた入金を処理する入金処理ステップと、
前記入金処理ステップで行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷ステップと、
を含むことを特徴とする入金記録印刷方法。
【請求項４】
入金機を制御するコンピュータに、
前記入金機が受けた入金を処理させるように前記入金機を制御させ、
前記入金の処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷するように前記入金機を制御させる
ためのプログラム。
【請求項５】
入金を受ける入金受付部と、
前記入金受付部が受けた入金を処理する入金処理部と、
を有する入金機と通信可能なプリンタであって、
前記入金処理部が行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷部を備えることを特徴とするプリンタ。
【請求項６】
各種の記録を記録帳に印刷すると共に、前記記録を前記記録帳に印刷する際に、前記記録が印刷された行が印刷済みの行であることを示す印刷行マークを、前記記録帳の前記記録が印刷された記録印刷領域とは異なる他の領域の前記記録帳の前記記録が印刷された行と同じ行に印刷する記録印刷部を備えることを特徴とするプリンタ。
【発明の詳細な説明】
【技術分野】
【０００１】
本発明は、入金機、入金記録印刷方法、プログラム及びプリンタに関する。
【背景技術】
【０００２】
ＡＴＭ（Automated Teller Machine）で入金を伴う取引を行った場合や、ショッピングモール等においてテナント（店舗）の売上金を入金機に入金した場合などに、入金金額を明細票で印刷すると明細票１枚毎に印紙税の対象となる。この印紙税を節約するために入金専用通帳を用いる方法が知られている（例えば、特許文献１）。入金金額を入金専用通帳に印刷することで、収入印紙は、この入金専用通帳に貼った一枚の収入印紙で済む。
ここで、入金専用通帳などの通帳は、一般に磁気ストライプ（磁気テープ）を備えており、この磁気ストライプが口座番号等の情報を記憶している。特許文献１にも、磁気破損に対して磁気データを修正することが記載されている。
【先行技術文献】
【特許文献】
【０００３】
【特許文献１】特開平８−４４８０６号公報
【発明の概要】
【発明が解決しようとする課題】
【０００４】
磁気ストライプを備えた通帳は比較的高価である。このため、磁気ストライプを備えた入金専用通帳を用いることで運用コストが増加してしまう。
【０００５】
本発明は、運用コストを比較的安価にできる入金機、入金記録印刷方法、プログラム及びプリンタを提供する。
【課題を解決するための手段】
【０００６】
本発明の第１の態様によれば、入金機は、入金を受ける入金受付部と、前記入金受付部が受けた入金を処理する入金処理部と、前記入金処理部が行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷部と、を備えることを特徴とする。
【０００７】
前記入金記録帳に印刷された前記印刷行マークを検出する基準マーク位置検出部と、前記基準マーク位置検出部が検出した前記印刷行マークに基づいて前記入金記録帳の印刷済みの行を検出する印刷済行検出部と前記印刷済みの行のうち最下行の次の行を前記入金記録の印刷開始位置に決定する印刷開始位置決定部と、を備え、前記入金記録印刷部は、前記印刷開始位置決定部が決定した印刷開始位置から前記入金記録と前記印刷行マークの印刷を開始するようにしてもよい。
【０００８】
本発明の第２の態様によれば、入金記録印刷方法は、入金機が、入金を受ける入金受付ステップと、前記入金受付ステップで受けた入金を処理する入金処理ステップと、前記入金処理ステップで行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷ステップと、を含むことを特徴とする。
【０００９】
本発明の第３の態様によれば、プログラムは、入金機を制御するコンピュータに、前記入金機が受けた入金を処理させるように前記入金機を制御させ、前記入金の処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷するように前記入金機を制御させるためのプログラムである。
【００１０】
本発明の第４の態様によれば、プリンタは、入金を受ける入金受付部と、前記入金受付部が受けた入金を処理する入金処理部と、を有する入金機と通信可能なプリンタであって、前記入金処理部が行った処理を示す入金記録を入金記録帳に印刷すると共に、前記入金記録を前記入金記録帳に印刷する際に、前記入金記録が印刷された行が印刷済みの行であることを示す印刷行マークを、前記入金記録帳の前記入金記録が印刷された入金記録印刷領域とは異なる他の領域の前記入金記録帳の前記入金記録が印刷された行と同じ行に印刷する入金記録印刷部を備えることを特徴とする。
【００１１】
本発明の第５の態様によれば、プリンタは、各種の記録を記録帳に印刷すると共に、前記記録を前記記録帳に印刷する際に、前記記録が印刷された行が印刷済みの行であることを示す印刷行マークを、前記記録帳の前記記録が印刷された記録印刷領域とは異なる他の領域の前記記録帳の前記記録が印刷された行と同じ行に印刷する記録印刷部を備えることを特徴とする。
【発明の効果】
【００１２】
本発明によれば、入金機の運用コストを比較的安価にすることができる。
【図面の簡単な説明】
【００１３】
【図１】本発明の一実施形態に係る入金機の装置構成を示す概略構成図である。
【図２】同実施形態に係る入金記録帳の外形の例を示す概略外形図である。
【図３】同実施形態に係る入金記録帳の記録用紙における印刷例を示す説明図である。
【図４】同実施形態に係る入金機本体の機能構成を示す概略ブロック図である。
【図５】同実施形態に係る入金処理関連情報記憶部が記憶する入金処理関連情報のデータ構成の例を示す説明図である。
【図６】同実施形態に係るプリンタの機能構成を示す概略ブロック図である。
【図７】同実施形態に係る入金機が入金記録帳に入金記録を印刷する処理手順の例を示すフローチャートである。
【図８】同実施形態に係る入金記録帳がプリンタにかざされた状態の例を示す説明図である。
【図９】同実施形態に係る表示部が表示するテナント情報の確認画面の例を示す説明図である。
【図１０】同実施形態に係る入金機がテナント情報の登録を行う処理手順の例を示すフローチャートである。
【図１１】同実施形態に係る表示部が表示する新規更新選択画面の例を示す説明図である。
【図１２】同実施形態に係る表示部が表示する登録画面の例を示す説明図である。
【図１３】同実施形態に係る表示部が表示するテナント番号入力画面の例を示す説明図である。
【図１４】同実施形態に係る入金機が入金記録帳を発行する処理手順の例を示すフローチャートである。
【図１５】同実施形態に係る表示部が表示する入金記録帳挿入誘導メッセージ画面の例を示す説明図である。
【図１６】同実施形態に係る表示部が表示する発行内容確認画面の例を示す説明図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態に係る入金機の装置構成を示す概略構成図である。同図に示すように、入金機１は、入金機本体１００と、プリンタ２００とを備える。
【００１５】
入金機１は、入金を伴う取引を行って取引の結果を印刷する。以下では、入金機１がショッピングモールに設置されてテナント（店舗）の売上金の入金を受ける場合を例に説明する。但し、入金機１の形態はこれに限らない。例えば、入金機１の設置場所はショッピングモールに限らず入金者が利用可能な場所であればよい。また、入金機１を利用する入金者はテナントに限らず個人であってもよい。
【００１６】
入金機本体１００は、貨幣の投入を受けて入金処理を行う。図１では、紙幣入金受付部１４１の紙幣入金口と硬貨入金受付部１４２の硬貨入金口とが示されている。例えば、入金機本体１００は、投入された貨幣の金額を検出し入金処理を行う。
また、図１では、表示部１２０の表示画面が示されている。表示部１２０は、入金者へのメッセージなど各種画像を表示画面に表示する。また、表示部１２０の表示画面には操作入力部１３０のタッチセンサが設けられてタッチパネルを構成している。操作入力部１３０は、表示画面へのタッチ操作によるユーザ操作を検出する。
【００１７】
プリンタ２００は、入金記録帳９００の挿入を受け、入金機本体１００による入金処理の結果を入金記録帳９００に印刷（Print）する。プリンタ２００は、入金記録印刷部の例に該当する。
図２は、入金記録帳９００の外形の例を示す概略外形図である。同図の例では、入金記録帳９００は、１枚の表紙９１０と１枚以上の記録用紙９２０とがリング９３０で綴じられて構成されている。但し、入金記録帳９００の綴じ方はリング９３０を用いる綴じ方に限らず、記録用紙９２０のページを開くことができる綴じ方であればよい。
【００１８】
表紙９１０の領域Ａ１１には、「入金記録帳」とのタイトルが印刷されている。また、領域Ａ１２には、入金記録帳番号が示されている。この入金記録帳番号は、入金記録帳９００を識別する識別番号であり、入金記録帳識別情報の例に該当する。入金記録帳識別情報は、入金記録帳９００に印刷されて入金記録帳９００を識別する情報である。
また、表紙９１０には、入金記録帳番号がバーコード９１１でも印刷されている。プリンタ２００は、このバーコード９１１を読み取ることで入金記録帳９００を識別する。このように、プリンタ２００が入金記録帳９００に印刷された情報を読み取ることで、磁気ストライプを用いる場合よりも入金記録帳９００のコストを低減させることができ、この点で入金機１の運用コストを低減させることができる。
但し、プリンタ２００が読み取る入金記録帳識別情報の印刷は、いろいろな表示形式のものとすることができる。例えば、バーコード９１１は、一次元バーコードであってもよいし二次元バーコードであってもよい。あるいは、プリンタ２００が、領域Ａ１２に印刷されている数字を読み取るなど、バーコード以外の形式で表示された入金記録帳識別情報を読み取るようにしてもよい。
【００１９】
領域Ａ１３には、入金者である入金記録帳９００の利用者の名称が印刷されている。図２の例では、テナントの名称が示されている。
領域Ａ１４には、入金記録帳９００の発行日（入金記録帳９００が発行された年月日）が印刷されている。
また、領域Ａ１５には、印紙が貼付されている。このように１つの入金記録帳９００に対して１枚の印紙を貼付すればよいので、入金毎に記録紙を印刷して印紙を貼付する場合よりも印紙代を節約することができる。
【００２０】
図３は、入金記録帳９００の記録用紙９２０における印刷例を示す説明図である。同図の例では、入金記録を印刷される各行は、入金の日付を印刷する領域Ａ２１と、処理内容を示す符号を印刷する領域Ａ２２と、入金金額を印刷する領域Ａ２３と、印刷行マーク９２３を印刷する領域Ａ２４を含んでいる。
また、記録用紙９２０には、ページ番号を示すバーコード９２１と、ページ番号を示す数字９２２とが印刷されている。これらのうちバーコード９２１は、プリンタ２００がページを識別するためのものである。
【００２１】
但し、プリンタ２００が読み取るページ番号の表示の印刷は、いろいろな表示形式のものとすることができる。例えば、バーコード９２１は、一次元バーコードであってもよいし二次元バーコードであってもよい。あるいは、プリンタ２００が、ページ番号を示す数字９２２を読み取るなど、バーコード以外の形式で表示されたページ番号を読み取るようにしてもよい。また、入金機１が、後述するページのチェックを行わない場合は、プリンタ２００が読み取るためのページ番号の表示は不要である。
一方、ページ番号を示す数字９２２は、入金者（入金記録帳９００の利用者）がページを識別するためのものである。後述するように、入金機１が印刷を行うページのページ番号を表示画面に表示したときに、入金者は、ページ番号を示す数字９２２を参照して該当ページを開くことができる。
【００２２】
また、記録用紙９２０には、印刷行マーク９２３が印刷されている。この印刷行マーク９２３は基準マークの例に該当し、入金機１は、印刷行マーク９２３に基づいて印刷開始位置を決定する。印刷行マーク９２３が印刷されている位置は、入金記録帳９００における基準位置の例に該当する。
プリンタ２００は、記録用紙９２０に入金の記録を印刷した際、印刷した行の領域Ａ２４に印刷行マーク９２３を印刷しておく。従って、印刷行マーク９２３は印刷済みの行の位置を示す。同じ入金記録帳９００に次に印刷を行う場合、プリンタ２００が印刷行マーク９２３を検出し、入金機１は、最後（最も下）の印刷行マーク９２３を基準にして次の行の先頭位置を決定する。そして、プリンタ２００は、決定された位置から印刷を開始する。
【００２３】
なお、ページ内における最初（最も上）の印刷行マーク９２３は、このページの先頭行の開始位置を検出するために予め印刷されている。
なお、入金機１が、印刷開始行が何行目かを記憶しておいて印刷開始位置を決定するようにしてもよい。この場合、予め印刷されている印刷行マーク９２３のみあればよく、従って、プリンタ２００は、印刷済みの行に印刷行マーク９２３を印刷する必要は無い。
【００２４】
図４は、入金機本体１００の機能構成を示す概略ブロック図である。同図に示すように、入金機本体１００は、第一通信部１１０と、表示部１２０と、操作入力部１３０と、入金受付部１４０と、第一記憶部１８０と、第一制御部１９０とを備える。入金受付部１４０は、紙幣入金受付部１４１と、硬貨入金受付部１４２とを備える。第一記憶部１８０は、入金処理関連情報記憶部１８１を備える。第一制御部１９０は、入金処理関連情報取得部１９１と、入金処理部１９２と、紙幣入金制御部１９３と、硬貨入金制御部１９４と、印刷開始位置決定部１９５と、ページ判定部１９６とを備える。
【００２５】
第一通信部１１０は、外部接続のインタフェースとして機能し、他の機器と通信を行う。特に、入金機本体１００とプリンタ２００とが別々の装置として構成されている場合、第一通信部１１０はプリンタ２００と通信を行う。また、入金機本体１００が外部サーバ又は外部ストレージなど他の機器にアクセスする場合、第一通信部１１０が該当機器と通信を行う。
【００２６】
表示部１２０は、上記のように表示画面を備えて入金者へのメッセージなど各種画像を表示する。特に、表示部１２０は、入金記録帳９００の印刷開始ページを示し、このページを開いてプリンタ２００に挿入するよう入金者に促すメッセージを表示する。
操作入力部１３０は、上記のように表示部１２０の表示画面に設けられてタッチパネルを構成するタッチセンサを備え、ユーザ操作を検出する。特に、操作入力部１３０は、入金記録帳識別情報（本実施形態では入金記録帳番号）を特定して入金記録帳９００の発行を求めるユーザ操作を受ける。
【００２７】
入金受付部１４０は、入金を受ける。具体的には、上記のように紙幣入金受付部１４１が紙幣入金口にて紙幣の投入を受け、硬貨入金受付部１４２が硬貨入金口にて硬貨の投入を受ける。
第一記憶部１８０は、入金機本体１００が備える記憶デバイスを用いて構成され、各種情報を記憶する。あるいは、第一記憶部１８０が入金機本体１００に外付けの記憶デバイスとして構成されていてもよい。
入金処理関連情報記憶部１８１は、入金処理関連情報を記憶する。ここで、入金処理関連情報は、入金機１が行う入金処理に関連する情報である。
【００２８】
図５は、入金処理関連情報記憶部１８１が記憶する入金処理関連情報のデータ構成の例を示す説明図である。同図の例では、１つの入金記録帳番号に対して、テナント番号と、テナント名称と、入金機利用可否情報と、発行日と、印刷開始ページ情報と、印刷開始行情報とが、それぞれ１つずつ対応付けられている。
入金記録帳番号は、上記のように入金記録帳９００を識別する番号である。
テナント番号は、入金記録帳９００の利用者（従って入金者）を識別する番号である。テナント名称は、入金記録帳９００の利用者の名称である。
【００２９】
入金機利用可否情報は、入金記録帳番号にて示されるテナントによる入金機の利用可否を設定した情報である。当該テナントとの契約などにより入金機の利用が制限される場合があり、入金機利用可否情報が用いられる。入金機利用可否情報は入金処理用情報の例に該当する。入金機本体１００（より具体的には、入金処理部１９２）は、入金機利用可否情報が利用可能を示す場合に入金処理を行う。一方、入金機利用可否情報が利用不可を示す場合、入金機本体１００は、入金処理を抑制する。すなわち、この場合、入金機本体１００は入金処理を行わない。
【００３０】
図５の例では、入金機利用可否情報としてテナントが利用可能な入金機の識別情報が示されている。テナントが利用可能な入金機が複数ある場合、入金機利用可否情報として複数の入金機の識別情報が示される。
但し、入金機利用可否情報の値は入金機の識別情報に限らない。例えば、対象となる入金機が１台のみの場合、例えば「１」で利用可能を示し「０」で利用不可能を示すなど、入金機利用可否情報として２値の情報を用いるようにしてもよい。
このように、入金処理関連情報では、入金記録帳番号と入金処理用情報とが対応付けられており、入金処理関連情報記憶部１８１は入金処理用情報記憶部の例に該当する。また、入金処理関連情報では、入金処理用情報に入金機利用可否情報（入金機の利用可否を示す情報）が含まれている。
【００３１】
発行日は、入金記録帳９００の発行日である。
印刷開始ページ情報、印刷開始行情報は、それぞれ、入金記録帳番号で特定される入金記録帳９００に入金処理結果を印刷する際の、印刷開始ページ、印刷開始行を示す。印刷開始ページ情報と印刷開始行情報とは印刷開始位置情報の例に該当する。印刷開始位置情報は、入金記録帳番号で特定される入金記録帳９００における印刷開始位置を示す情報である。
このように、入金処理関連情報では、入金記録帳番号と印刷開始ページ情報とが対応付けられており、入金処理関連情報記憶部１８１は、印刷開始ページ情報記憶部の例に該当する。また、入金処理関連情報では、入金記録帳番号と印刷開始位置情報（印刷開始ページ情報及び印刷開始行情報）とが対応付けられており、入金処理関連情報記憶部１８１は印刷開始位置情報記憶部の例に該当する。
【００３２】
なお、表示部１２０が印刷開始ページの表示を行わず、入金者が入金記録帳９００のページをめくって印刷開始ページを見つけるようにしてもよい。この場合、入金処理関連情報記憶部１８１が印刷開始ページ情報を記憶していなくてもよい。
また、図３を参照して説明したように、入金機１が印刷行マークに基づいて印刷開始行を検出するようにしてもよい。この場合、入金処理関連情報記憶部１８１が印刷開始行情報を記憶していなくてもよい。
【００３３】
第一制御部１９０は、入金機本体１００の各部を制御して各種処理を実行する。第一制御部１９０は、例えば入金機本体１００が備えるＣＰＵ（Central Processing Unit）が第一記憶部１８０からプログラムを読み出して実行することで実現される。
入金処理関連情報取得部１９１は、プリンタ２００が入金記録帳９００から入金記録帳番号を読み出すと、その入金記録帳番号に対応付けられているテナント番号、テナント名称、入金機利用可否情報、発行日、印刷開始ページ情報、及び、印刷開始行情報を入金処理関連情報記憶部１８１から読み出す。
【００３４】
上記のように入金処理関連情報記憶部１８１は入金処理用情報記憶部の例に該当し、入金処理関連情報取得部１９１は入金処理用情報取得部の例に該当する。また、入金処理関連情報記憶部１８１は印刷開始位置情報記憶部の例に該当し、入金処理関連情報取得部１９１は印刷開始位置情報取得部の例に該当する。また、入金処理関連情報記憶部１８１は印刷開始ページ情報記憶部の例に該当し、入金処理関連情報取得部１９１は印刷開始ページ情報取得部の例に該当する。また、入金処理関連情報記憶部１８１は印刷開始ページ情報記憶部の例に該当し、入金処理関連情報取得部１９１は印刷開始ページ情報取得部の例に該当する。
【００３５】
入金処理部１９２は、入金受付部１４０が受けた入金に対する入金処理を行う。特に、入金処理部１９２は、入金処理関連情報取得部１９１が取得した入金機利用可否情報に基づいて入金処理を行う。上記のように、入金処理部１９２は、入金機利用可否情報が利用可能を示す場合に入金処理を行う。一方、入金機利用可否情報が利用不可を示す場合、入金処理部１９２は入金処理を行わない。
紙幣入金制御部１９３は、紙幣の投入を促すメッセージを表示部１２０に表示させ、紙幣入金受付部１４１の紙幣入金口の開閉を制御するなど、紙幣の入金について入金機本体１００の各部を制御する。
硬貨入金制御部１９４は、硬貨の投入を促すメッセージを表示部１２０に表示させ、硬貨入金受付部１４２の硬貨入金口の開閉を制御するなど、硬貨の入金について入金機本体１００の各部を制御する。
【００３６】
印刷開始位置決定部１９５は、プリンタ２００が入金記録を入金記録帳９００に印刷する際の印刷開始位置を決定する。特に、印刷開始位置決定部１９５は、印刷行マーク９２３（図３）の位置と、入金処理関連情報取得部１９１が入金処理関連情報記憶部１８１から読み出した印刷開始ページ情報及び印刷開始行情報とに基づいて入金記録の印刷開始位置を決定する。ここで、入金記録とは、入金機本体１００が行った入金処理の記録である。
例えば、印刷開始位置決定部１９５は、印刷開始ページ情報及び印刷開始行情報が示すページ及び行を印刷開始のページ及び行に決定する。そして、印刷開始位置決定部１９５は、決定した行の記録用紙９２０における位置を印刷行マーク９２３からの相対位置にて検出する。
あるいは、図３を参照して説明したように、プリンタ２００が印刷行マーク９２３を検出することで印刷済みの行を検出し、印刷開始位置決定部１９５が、印刷済みの行のうち最下行の次の行を印刷開始行に決定するようにしてもよい。
【００３７】
ページ判定部１９６は、プリンタ２００に入金記録帳９００が挿入される前に、印刷開始ページを開いて挿入しようとしているかを判定する。具体的には、ページ判定部１９６は、入金処理関連情報取得部１９１が入金処理関連情報記憶部１８１から読み出した印刷開始ページ情報が示すページ番号と、プリンタ２００が入金記録帳９００から読み取ったページ番号とが一致するか否かを判定する。これにより、入金者が入金記録帳９００の誤ったページ（印刷開始ページ以外のページ）を開いてプリンタ２００に挿入した場合に、正しいページを開き直すよう促すメッセージを表示部１２０に表示させることができる。
但し、ページ判定部１９６は、入金機１の必須の構成ではない。入金機１が、入金記録帳９００の印刷開始ページが開かれているか否かを判定しない場合、ページ判定部１９６を備えていなくてもよい。
【００３８】
図６は、プリンタ２００の機能構成を示す概略ブロック図である。同図に示すように、プリンタ２００は、第二通信部２１０と、読取部２２０と、印刷実行部２３０と、第二記憶部２８０と、第二制御部２９０とを備える。第二制御部２９０は、印刷済行検出部２９１と、印刷位置制御部２９２と、印刷制御部２９３とを備える。
第二通信部２１０は、外部接続のインタフェースとして機能し、他の機器と通信を行う。特に、入金機本体１００とプリンタ２００とが別々の装置として構成されている場合、第二通信部２１０は入金機本体１００と通信を行う。
【００３９】
読取部２２０は、プリンタ２００に挿入する入金記録帳９００に印刷されている情報を読み取る。
特に、読取部２２０は、入金記録帳識別情報読取部の例に該当し、入金記録帳９００に印刷されている入金記録帳番号（例えば図２のバーコード９１１）を読み取る。
また、読取部２２０は、基準マーク位置検出部の例に該当し、入金記録帳９００に印刷されている印刷行マーク９２３（図３）を検出する。
また、読取部２２０は、ページ識別マーク読取部の例に該当し、入金記録帳９００に印刷されているページ識別マーク（例えば図３のバーコード９２１）を読み取る。
【００４０】
読取部２２０は、例えばカメラを備えて入金記録帳９００を上下（特に、印刷用紙が開かれている側、及び、表紙の側）両方から撮影し、印刷されているバーコードやマークを検出する。
但し、読取部２２０が入金記録帳９００から情報を読み取る方法は、カメラを用いる方法に限らない。例えば、読取部２２０がレーザ式のバーコードスキャナを備え、入金記録帳９００に印刷されているバーコードを読み取るようにしてもよい。
【００４１】
印刷実行部２３０は、入金記録帳９００への印刷を実行する。特に、印刷実行部２３０は、入金記録を入金記録帳９００に印刷する。入金記録帳９００への印刷を行う際、印刷実行部２３０は、印刷開始位置決定部１９５が決定した印刷開始位置から印刷を開始する。これにより、印刷実行部２３０は、入金処理関連情報取得部１９１が取得した印刷開始位置情報（印刷開始ページ情報及び印刷開始行情報のうちいずれか一方又は両方）が示す印刷開始位置から前記入金記録の印刷を開始する。
【００４２】
なお、読取部２２０は、図８の例ではプリンタ２００の通帳挿入口よりも手前に設置されており、入金記録帳９００をプリンタ２００に挿入前に読取を行うが、読取部２２０の配置はこれに限らない。例えば、読取部２２０が通帳挿入口よりも奥に設置されて、入金記録帳９００の挿入後に読取を行うようにしてもよい。その場合、入金記録帳９００がプリンタ２００の挿入スペースの奥まで挿入されて静止した状態で読取を行うようにしてもよいし、入金記録帳９００が挿入途中で動いている状態で読取を行うようにしてもよい。
あるいは、読取部２２０が、通帳挿入口の前後に設置されて、入金記録帳９００から読み取る内容に応じて挿入前と挿入後とに分けて読取を行うようにしてもよい。例えば、読取部２２０が、入金記録帳識別情報とページ識別マークとを挿入前に読み取り、印字マークを挿入後に読み取るようにしてもよい。
【００４３】
また、印刷実行部２３０は、入金記録帳発行部の例に該当し、新規の入金記録帳９００を発行する。具体的には、表紙９１０に入金記録帳番号（数字及びバーコード）、テナントの名称、及び、発行年月日が印刷されていない未完成の入金記録帳９００がプリンタ２００に挿入された状態で、入金記録帳９００の発行を指示するユーザ操作を操作入力部１３０が受ける。すると、印刷実行部２３０は、ユーザ操作で特定されたユーザ（入金者）の名称（テナントの名称）を入金記録帳９００の表紙９１０に印刷し、また、入金記録帳番号（数字及びバーコード）と、発行年月日とを表紙９１０に印刷する。ここでのテナントの名称は、ユーザ操作によって特定されたユーザに関する情報の例に該当する。
【００４４】
第二記憶部２８０は、プリンタ２００が備える記憶デバイスを用いて構成され、各種情報を記憶する。あるいは、第二記憶部２８０がプリンタ２００に外付けの記憶デバイスとして構成されていてもよい。
第二制御部２９０は、プリンタ２００の各部を制御して各種処理を実行する。第二制御部２９０は、例えばプリンタ２００が備えるＣＰＵが第二記憶部２８０からプログラムを読み出して実行することで実現される。
印刷済行検出部２９１は、読取部２２０が検出する印刷行マークに基づいて、印刷済み行を検出する。但し、印刷済行検出部２９１は入金機１に必須ではない。印刷開始位置決定部１９５（図４）が印字開始行情報に基づいて印字開始行を決定する場合、プリンタ２００が印刷済行検出部２９１を備えていなくてもよい。
【００４５】
印刷位置制御部２９２は、印刷実行部２３０による入金記録帳９００への印刷位置を制御する。具体的には、印刷位置制御部２９２は、印刷実行部２３０のプリンタヘッダが入金記録帳９００上の印刷位置（印刷を行うべき位置）に位置するように入金記録帳９００及び印刷実行部２３０のプリンタヘッダを移動させる。
印刷制御部２９３は、印刷実行部２３０による入金記録帳９００への印刷内容を制御する。具体的には、印刷制御部２９３は、印刷実行部２３０を制御して入金記録帳９００に文字や記号等を印刷させる。
【００４６】
なお、入金機本体１００とプリンタ２００とは１つの装置として構成されていてもよいし、別々の装置として構成されて入金機本体１００の近傍にプリンタ２００が設置されていてもよい。
また、入金機本体１００及びプリンタ２００の各部の配置は図４及び図６に示すものに限らない。例えば、ページ判定部１９６が第二制御部２９０の一部として構成されるなど、図４で入金機本体１００の一部として示されている機能部がプリンタ２００の一部として構成されていてもよい。逆に図６でプリンタ２００の一部として示されている機能部が入金機本体１００の一部として構成されていてもよい。
あるいは、入金機１が制御装置をさらに備え、図４に示す第一制御部１９０の一部又は全部がこの制御装置に含まれるなど、入金機１が３つ以上の装置として構成されていてもよい。
【００４７】
また、複数の入金機１が通信接続されていてもよい。この場合、複数の入金機１に親機と子機との関係が設定されていてもよい。具体的には、親機に設定された入金機１が入金処理関連情報を記憶し、子機に設定された入金機１が、親機から入金処理関連情報を読み出すようにしてもよい。
【００４８】
次に、図７〜図１７を参照して入金機１の動作について説明する。
図７は、入金機１が入金記録帳９００に入金記録を印刷する処理手順の例を示すフローチャートである。操作入力部１３０が入金処理を指示するユーザ操作を受けると、入金機１は図７の処理を行う。
図７の処理にて、読取部２２０は、入金記録帳９００から入金記録帳番号を読み取ることで入金記録帳９００を識別する（ステップＳ１０１）。例えば、ユーザ（入金者）がプリンタ２００に入金記録帳９００をかざし、プリンタ２００は、入金記録帳９００から入金記録帳番号を読み取る。
【００４９】
図８は、入金記録帳９００がプリンタ２００にかざされた状態の例を示す説明図である。同図では、プリンタ２００に読取部２２０のバーコードスキャナが設けられている。ユーザが、バーコードスキャナに入金記録帳番号のバーコード９１１（図２）をかざすと、読取部２２０が入金記録帳番号を読み取る。
次に、第一制御部１９０は、読取部２２０が読み取った入金記録帳番号に対応付けられたテナント情報を入金処理関連情報記憶部１８１から読み出して表示部１２０に表示させる（ステップＳ１０２）。具体的には、入金処理関連情報取得部１９１が、ステップＳ１０１で読取部２２０が読み取った入金記録帳番号に対応付けられているテナント番号及びテナント名称を入金処理関連情報記憶部１８１から読み出す。そして、第一制御部１９０（例えば入金処理部１９２）は、得られたテナント情報（テナント番号及びテナント名称）の確認画面を表示部１２０に表示させる。
【００５０】
図９は、表示部１２０が表示するテナント情報の確認画面の例を示す説明図である。同図の例で、表示部１２０は、領域Ａ３１にテナント番号を表示し、領域Ａ３２にテナント名を表示して、確認を促すメッセージを表示している。また、表示部１２０は、領域Ａ３３に通帳のページの指定を表示して、入金記録帳９００のプリンタ２００への挿入を促すメッセージを表示している。領域Ａ３３に示すページ番号は、入金処理関連情報取得部１９１が入金処理関連情報記憶部１８１から読み出した印刷開始ページ情報が示すページ番号である。
加えて、表示部１２０は、「確認」ボタンと「取消」ボタンとを表示している。ここでの「確認」ボタンは、入金記録帳９００への印刷の処理の続行を指示するユーザ操作を受けるボタンである。一方、「取消」ボタンは、入金記録帳９００への印刷の処理の中止を指示するユーザ操作を受けるボタンである。
【００５１】
ステップＳ１０２の後、第一制御部１９０は、処理の続行を指示するユーザ操作が行われたか、処理の中止を指示するユーザ操作が行われたかを判定する（ステップＳ１０３）。
処理の続行を指示するユーザ操作が行われたと判定した場合（ステップＳ１０３：ＹＥＳ）、ページ判定部１９６は、入金記録帳９００の印刷開始ページが開かれているか否かの確認を行う（ステップＳ１０４）。具体的には、ページ判定部１９６は、入金処理関連情報取得部１９１が入金処理関連情報記憶部１８１から読み出した印刷開始ページ情報が示すページ番号と、読取部２２０が入金記録帳９００から読み取ったページ番号とが一致するか否かを判定する。一致しないと判定した場合、ページ判定部１９６は、正しいページ番号を示して入金記録帳９００の入れ直しを促すメッセージを表示部１２０に表示させる。ページ判定部１９６は、正しいページが開かれるまで（入金処理関連情報取得部１９１が入金処理関連情報記憶部１８１から読み出した印刷開始ページ情報が示すページ番号と、読取部２２０が入金記録帳９００から読み取ったページ番号とが一致すると判定するまで）この処理を繰り返す。
【００５２】
次に、印刷開始位置決定部１９５は、印刷開始位置を決定する（ステップＳ１０５）。具体的には、印刷開始位置決定部１９５は、入金処理関連情報取得部１９１が入金処理関連情報記憶部１８１から読み出した印刷開始行情報に従って印刷開始行を決定し、読取部２２０が検出する印刷行マーク９２３の位置に基づいて、入金記録帳９００における印刷開始行の先頭位置を特定する。
あるいは、読取部２２０が検出する印刷行マーク９２３の位置に基づいて印刷済行検出部２９１が印刷済みの行を検出し、印刷開始位置決定部１９５が、印刷済みの行のうち最下行の次の行を印刷開始行に決定するようにしてもよい。
【００５３】
ステップＳ１０５までで印刷の準備が整うと、入金処理部１９２は入金処理を行う（ステップＳ１０６）。例えば、入金受付部１４０が貨幣の投入を受け、入金処理部１９２は、投入された金額を検出して入金する。
【００５４】
入金処理を完了すると、第一制御部１９０（例えば入金処理部１９２）は、プリンタ２００を制御して入金処理の結果を入金記録帳９００に印刷させる（ステップＳ１０７）。印刷完了時に、第一制御部１９０（例えば入金処理関連情報取得部１９１）は、入金処理関連情報記憶部１８１が記憶している印刷開始位置情報（印刷開始ページ情報及び印刷開始行情報）を更新する。
ステップＳ１０７の後、図７の処理を終了する。
一方、ステップＳ１０３で処理の中止を指示するユーザ操作が行われたと判定した場合（ステップＳ１０３：ＮＯ）、図７の処理を終了する。この場合、入金処理及び入金記録の印刷は行われない。
【００５５】
また、上記のように、入金機利用可否情報が入金不可を示している場合、入金処理部１９２は、入金処理を抑制する。すなわち、この場合、入金処理部１９２は入金処理を行わない。
例えば、入金処理部１９２はステップＳ１０２で、上述したテナント情報の表示に加えて、入金機利用可否情報の読み出しを行う。具体的には、入金処理部１９２は、ステップＳ１０１で得られた入金記録帳番号に対応付けられている入金機利用可否情報を入金処理関連情報記憶部１８１から読み出す。
【００５６】
そして、ステップＳ１０３では入金処理部１９２は、ユーザ操作に加えて入金機利用可否情報に基づいて処理の分岐を行う。具体的には、入金処理部１９２はステップＳ１０３で、処理の続行を指示するユーザ操作が行われたと判定し、かつ、入金機利用可否情報が利用可能を示していると判定した場合に、ステップＳ１０４へ進む。
一方、入金処理部１９２はステップＳ１０３で、処理の中止を指示するユーザ操作が行われたと判定した場合、又は、入金機利用可否情報が利用不可を示していると判定した場合のいずれも、図７の処理を終了する。
【００５７】
なお、入金処理部１９２が、入金機利用可否情報が利用不可を示していると判定した場合に、入金機を利用できない旨のメッセージを表示部１２０に表示させるようにしてもよい。また、入金処理部１９２が、入金機利用可否情報が利用不可を示していると判定した場合に、ステップＳ１０２でのテナント情報の表示を抑制するようにしてもよいし、ユーザ操作が行われるのを待たずに図７の処理を終了するようにしてもよい。
【００５８】
図１０は、入金機１がテナント情報の登録を行う処理手順の例を示すフローチャートである。操作入力部１３０がテナント情報の登録を指示するユーザ操作を受けると、入金機１は図１０の処理を行う。
図１０の処理で、第一制御部１９０は、新規更新選択画面を表示部１２０に表示させる（ステップＳ２０１）。ここでいう新規更新選択画面は、テナント情報を新規に登録するか、登録されているテナント情報を更新するかを選択するユーザ操作を受ける画面である。
【００５９】
図１１は、表示部１２０が表示する新規更新選択画面の例を示す説明図である。同図の例で、表示部１２０は、「新規」ボタンと「更新」ボタンとを表示している。ここでの「新規」ボタンは、テナント情報の新規登録を選択するユーザ操作を受けるボタンである。一方、「更新」ボタンは、登録されているテナント情報の更新を選択するユーザ操作を受けるボタンである。
【００６０】
そして、第一制御部１９０は、テナント情報の新規登録を選択するユーザ操作が行われたか、テナント情報の更新を選択するユーザ操作が行われたかを判定する（ステップＳ２０２）。
テナント情報の新規登録を選択するユーザ操作が行われたと判定した場合（ステップＳ２０２：ＹＥＳ）、第一制御部１９０は、登録内容の入力を受け付ける（ステップＳ２０５）。具体的には、第一制御部１９０は、表示部１２０に登録画面を表示させ、入力された情報を入金処理関連情報記憶部１８１に記憶させる。
【００６１】
図１２は、表示部１２０が表示する登録画面の例を示す説明図である。同図に示す登録画面には、テナント番号、テナント名称、記録帳発行日、印刷済ページ数、印刷済行数の各項目が示されている。ユーザがこれらの項目への入力を行って「完了」ボタンにタッチすると、第一制御部１９０は、入力された情報を入金処理関連情報記憶部１８１に記憶させる。
ステップＳ２０５の後、図１０の処理を終了する。なお、図１２の「取消」ボタンがタッチされた場合は、第一制御部１９０は、情報の登録を行わずに図１０の処理を終了する。
【００６２】
一方、ステップＳ２０２でテナント情報の更新を選択するユーザ操作が行われたと判定した場合（ステップＳ２０２：ＮＯ）、第一制御部１９０は、テナント番号の入力を受け付ける（ステップＳ２０３）。具体的には、第一制御部１９０は、表示部１２０にテナント番号入力画面を表示させてテナント番号の入力を受ける。
図１３は、表示部１２０が表示するテナント番号入力画面の例を示す説明図である。同図に示すテナント番号入力画面には、テナント番号の入力欄が設けられている。ユーザがこの入力欄にテナント番号を入力して「完了」ボタンにタッチすると、第一制御部１９０は、入力されたテナント番号を取得する。
【００６３】
そして、第一制御部１９０は、得られたテナント番号に基づいて、登録されている情報（すなわち、更新前の情報）を取得する（ステップＳ２０４）。具体的には、入金処理関連情報取得部１９１は、ステップＳ２０３で得られたテナント番号に対応付けられている情報を、入金処理関連情報記憶部１８１から読み出す。
ステップＳ２０４の後、ステップＳ２０５へ遷移する。この場合、ステップＳ２０５で表示部１２０は、ステップＳ２０４で得られた更新前の情報を図１２の各項目に表示する。
【００６４】
図１４は、入金機１が入金記録帳９００を発行する処理手順の例を示すフローチャートである。操作入力部１３０が入金記録帳９００の発行を指示するユーザ操作を受けると、入金機１は図１４の処理を行う。
図１４の処理で、第一制御部１９０は、テナント番号の入力を受け付ける（ステップＳ３０１）。具体的には、第一制御部１９０は、図１０のステップＳ２０３の場合と同様、表示部１２０にテナント番号入力画面を表示させてテナント番号の入力を受ける。
次に、第一制御部１９０は、入金記録帳９００をプリンタ２００に挿入するよう誘導するメッセージを表示部１２０に表示させる（ステップＳ３０２）。
【００６５】
図１５は、表示部１２０が表示する入金記録帳挿入誘導メッセージ画面の例を示す説明図である。このメッセージの表示を受けてユーザは、表紙９１０に入金記録帳番号（数字及びバーコード）、テナントの名称、及び、発行年月日が印刷されていない未完成の入金記録帳９００をプリンタ２００に挿入する。
なお、図１５の「取消」ボタンがタッチされた場合、第一制御部１９０は、入金記録帳９００の発行を行わずに割込み処理にて図１４の処理を終了する。
【００６６】
ステップＳ３０２の後、第一制御部１９０は、入金記録帳９００がプリンタ２００に挿入されたか否かを判定する（ステップＳ３０３）。挿入されていないと判定した場合（ステップＳ３０３：ＮＯ）、ステップＳ３０３へ戻る。すなわち、第一制御部１９０は、入金記録帳９００がプリンタ２００に挿入されるのを待ち受ける。
一方、入金記録帳９００がプリンタ２００に挿入されたと判定した場合（ステップＳ３０３：ＹＥＳ）、第一制御部１９０は、発行内容を確認する処理を行う（ステップＳ３０４）。具体的には、入金処理関連情報取得部１９１が、ステップＳ３０１で得られたテナント番号に対応付けられているテナント番号と、テナント名称とを入金処理関連情報記憶部１８１から読み出す。そして、第一制御部１９０は、得られたテナント番号とテナント名称とを示す発行内容確認画面を表示部１２０に表示させる。
【００６７】
図１６は、表示部１２０が表示する発行内容確認画面の例を示す説明図である。同図の例で、発行内容確認画面にはテナント番号、テナント名称、記録帳発行日の各項目が示されている。テナント番号、テナント名称の項目には、それぞれ入金処理関連情報取得部１９１が入金処理関連情報記憶部１８１から読み出したテナント番号、テナント名称が示されている。また、記録帳発行日の項目には、入金記録帳９００の発行日となる今日の日付が示されている。
加えて、表示部１２０は、「発行」ボタンと「取消」ボタンとを表示している。ここでの「発行」ボタンは、入金記録帳９００を発行する処理の続行を指示するユーザ操作を受けるボタンである。一方、「取消」ボタンは、入金記録帳９００を発行する処理の中止を指示するユーザ操作を受けるボタンである。
【００６８】
ステップＳ３０４の後、第一制御部１９０は、処理の続行を指示するユーザ操作が行われたか、処理の中止を指示するユーザ操作が行われたかを判定する（ステップＳ３０５）。
処理の続行を指示するユーザ操作が行われたと判定した場合（ステップＳ３０５：ＹＥＳ）、第一制御部１９０は、プリンタ２００を制御して、入金記録帳９００の表紙への入金記録帳番号（数字及びバーコード）、テナントの名称、及び、発行年月日の印刷を実行させる（ステップＳ３０６）。入金記録帳番号として、例えば、テナント番号と通し番号とを組み合わせた番号を用いる。但し、入金記録帳番号はこれに限らず、入金記録帳９００を一意に識別できるものであればよい。
ステップＳ３０６の後、図１４の処理を終了する。
一方、ステップＳ３０５で処理の中止を指示するユーザ操作が行われたと判定した場合（ステップＳ３０５：ＮＯ）、図１４の処理を終了する。この場合、入金記録帳９００の発行は行われない。
【００６９】
以上のように、読取部２２０は、入金記録帳９００に印刷されている入金記録帳番号を読み取る。そして、入金処理関連情報取得部１９１は、読取部２２０が読み取った入金記録帳番号に対応付けられた入金処理用情報（例えば入金機利用可否情報）を入金処理関連情報記憶部１８１から読み出す。入金処理部１９２は、入金受付部１４０が受けた入金を入金処理関連情報取得部１９１が取得した入金処理用情報に基づいて処理する。印刷実行部２３０は、入金処理部１９２が行った処理を示す入金記録を入金記録帳９００に印刷する。
このように、印刷実行部２３０が入金記録を入金記録帳９００に印刷することで、入金記録帳９００毎に１枚の印紙を貼付すればよい。これにより、入金毎に記録紙を印刷して印紙を貼付する場合よりも印紙代を節約することができる。
また、読取部２２０は、入金記録帳９００に印刷された入金記録帳番号を読み取るので、入金記録帳９００に磁気ストライプ等を設ける必要がない。この点で、入金記録帳９００のコストを低減させることができ、入金機１の運用コストを低減させることができる。
また、入金機１は、入金記録帳９００から情報を読み取るためにカメラを備えていればよく、磁気ストライプを読み取る装置を備える構成よりも入金機１の製造コストを低減させることができる。
【００７０】
また、入金処理関連情報取得部１９１は、読取部２２０が入金記録帳９００から読み取った入金記録帳番号に対応付けられている入金機利用可否情報を入金処理関連情報記憶部１８１から読み出す。そして、入金処理部１９２は、入金処理関連情報取得部１９１が取得した入金機利用可否情報に基づいて入金処理を行う。具体的には、入金処理部１９２は、入金機利用可否情報が、当該入金機（入金処理部１９２自らを備えている入金機）を利用可能であることを示す場合に入金処理を行う。一方、入金機利用可否情報が当該入金機を利用不可能であることを示す場合、入金処理部１９２は入金処理を抑制する（すなわち、入金処理を行わない）。
このように、入金機１では、入金記録帳９００から番号を読み取り、番号に対応付けられた入金機利用可否情報を入金処理関連情報記憶部１８１から読み出すという簡単な処理で、入金機の利用可否を確認して入金処理を行うことができる。
【００７１】
また、印刷実行部２３０は、操作入力部１３０が受けるユーザ操作によって特定されたユーザに関する情報を印刷した入金記録帳９００を発行する。
これにより、入金機１では、ユーザは、例えばテナント番号などユーザを特定する情報を入力するといった簡単な入力操作で入金記録帳９００の発行を受けることができる。
【００７２】
また、入金処理関連情報取得部１９１は、読取部２２０が入金記録帳９００から読み取った入金記録帳番号に対応付けられた印刷開始位置情報を入金処理関連情報記憶部１８１から読み出す。そして、印刷実行部２３０は、入金処理関連情報取得部１９１が取得した印刷開始位置情報が示す印刷開始位置から入金記録の印刷を開始する。
このように、入金機１では、読取部２２０が読み取った入金記録番号に基づいて入金処理関連情報記憶部１８１から印刷開始位置情報を読み出すという簡単な処理で印刷開始位置を特定することができる。
【００７３】
また、印刷開始位置決定部１９５は、読取部２２０が入金記録帳９００から検出した印刷行マークの位置に基づいて入金記録の開始位置を決定する。そして、印刷実行部２３０は、印刷開始位置決定部１９５が決定した印刷開始位置から入金記録の印刷を開始する。
これにより、印刷開始位置決定部１９５は、入金記録帳９００上で印刷開始位置を特定することができる。
【００７４】
また、入金処理関連情報取得部１９１は、読取部２２０が入金記録帳９００から読み取った入金記録帳番号に対応付けられた印刷開始ページ情報を入金処理関連情報記憶部１８１から読み出す。そして、表示部１２０は、入金処理関連情報取得部１９１が取得した印刷開始ページ情報が示す印刷開始ページ番号を表示する。
このように表示部１２０が印刷開始ページ番号を表示することで、ユーザ（入金者）が、印刷開始ページを開いて入金記録帳９００をプリンタ２００に挿入することが期待される。
【００７５】
また、入金処理関連情報取得部１９１は、読取部２２０が入金記録帳９００から読み取った入金記録帳番号に対応付けられた印刷開始ページ情報を入金処理関連情報記憶部１８１から読み出す。読取部２２０は、入金記録帳９００のページ毎に設けられているページ識別マーク（例えば図３のバーコード９２１）を読み取る。そして、ページ判定部１９６は、入金処理関連情報取得部１９１が取得した印刷開始ページ情報が示すページと、読取部２２０が読み取ったページ識別マークが示すページとが一致するか否かを判定する。
これにより、ページ判定部１９６は、印刷開始ページ以外のページが開かれていることを検出することができ、正しいページ（印刷開始ページ）を開くようユーザに促すことができる。
【００７６】
なお、第一制御部１９０及び第二制御部２９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７７】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７８】
１  入金機
１００  入金機本体
１１０  第一通信部
１２０  表示部
１３０  操作入力部
１４０  入金受付部
１４１  紙幣入金受付部
１４２  硬貨入金受付部
１８０  第一記憶部
１８１  入金処理関連情報記憶部
１９０  第一制御部
１９１  入金処理関連情報取得部
１９２  入金処理部
１９３  紙幣入金制御部
１９４  硬貨入金制御部
１９５  印刷開始位置決定部
１９６  ページ判定部
２００  プリンタ
２１０  第二通信部
２２０  読取部
２３０  印刷実行部
２８０  第二記憶部
２９０  第二制御部
２９１  印刷済行検出部
２９２  印刷位置制御部
２９３  印刷制御部
９００  入金記録帳
【図１】
2020035487.tif 000003
【図２】
2020035487.tif 000004
【図３】
2020035487.tif 000005
【図４】
2020035487.tif 000006
【図５】
2020035487.tif 000007
【図６】
2020035487.tif 000008
【図７】
2020035487.tif 000009
【図８】
2020035487.tif 000010
【図９】
2020035487.tif 000011
【図１０】
2020035487.tif 000012
【図１１】
2020035487.tif 000013
【図１２】
2020035487.tif 000014
【図１３】
2020035487.tif 000015
【図１４】
2020035487.tif 000016
【図１５】
2020035487.tif 000017
【図１６】
2020035487.tif 000018